(57)【要約】【課題】載置面上の硬貨を自動釣銭機の硬貨受入口へ入れる作業を操作者が容易に行うことができる商品販売データ処理装置を提供する。【解決手段】商品販売データ処理装置１０は、硬貨Ｃを載せる載置面２１と、載置面２１上の硬貨Ｃを自動釣銭機１００の硬貨受入口１１１へ案内する案内部２４と、を備える。したがって、操作者は、載置面２１上の硬貨Ｃを自動釣銭機１００の硬貨受入口１１１へ入れる際には、載置面２１上の硬貨Ｃを案内部２４の案内に従って載置面２１上で移動させれば良い。【選択図】図３
2011113455.tif 000002
【特許請求の範囲】
【請求項１】
硬貨を受け入れる硬貨受入口が設けられた自動釣銭機に接続され、商品の販売登録を行う商品販売データ処理装置において、
硬貨を載せる載置面と、
前記硬貨受入口へ前記載置面上の硬貨を案内する案内部と、
を備えることを特徴とする商品販売データ処理装置。
【請求項２】
前記案内部は、
前記硬貨受入口の上方で前記載置面に設けられて、硬貨が通過可能な出口部と、
前記載置面の縁部に沿って設けられ、前記載置面上の硬貨を前記出口部へ案内する案内壁と、
を有することを特徴とする請求項１に記載の商品販売データ処理装置。
【請求項３】
前記出口部は、前記載置面の前縁部に設けられ、
前記案内壁は、前記出口部に接続していて前記載置面上の硬貨の側部を支持する傾斜壁面を有し、
前記傾斜壁面は、前記載置面の前後方向に対する傾斜であって、当該傾斜壁面の後端部から当該傾斜壁面の前端部に向かうにつれ前記出口部に対して近づく傾斜に形成されていることを特徴とする請求項２に記載の商品販売データ処理装置。
【請求項４】
前記案内部は、
前記硬貨受入口の上方で前記載置面に設けられて、硬貨が通過可能な出口部と、
前記載置面に設けられ、前記出口部へ向かうにつれ高さ位置が低くなる斜面と、
を有することを特徴とする請求項１に記載の商品販売データ処理装置。
【請求項５】
前記出口部は、前記硬貨受入口と鉛直方向で重複する位置に設けられていることを特徴とする請求項２ないし４のいずれか一項に記載の商品販売データ処理装置。
【請求項６】
前記載置面及び前記案内部を有する載置部材と、
前記載置部材を着脱自在に支持する取付部と、
を備えることを特徴とする請求項１ないし５のいずれか一項に記載の商品販売データ処理装置。
【発明の詳細な説明】
【技術分野】
【０００１】
本発明は、商品販売データ処理装置に関する。
【背景技術】
【０００２】
従来、店舗における会計業務を支援する機器として、商品販売データ処理装置であるＰＯＳ端末とこのＰＯＳ端末に接続された自動釣銭機とがある（例えば、特許文献１参照）。
【０００３】
ＰＯＳ端末には、客から受け取った金銭を一時的に載せる載置面が設けられているものがある。このＰＯＳ端末を操作する店員は、客との取引が終了するまでの間、客から受け取った金銭を載置面に載せておく。そして、釣銭が有る場合には、店員は、所定の操作によって自動釣銭機から払い出された釣銭を客に渡す。そして、店員は、客との取引が終了した後に、載置面上の金銭を手に取り、手に取った硬貨を自動釣銭機の受入口に投入する。
【発明の概要】
【発明が解決しようとする課題】
【０００４】
このように、従来のＰＯＳ端末では、店員は、載置面上の金銭を手に取り、手に取った金銭を硬貨受入口や紙幣受入口まで運ぶ必要がある。しかしながら、載置面に置かれた硬貨は取り難いため、載置面から自動釣銭機の硬貨受入口へ硬貨を入れる店員の作業に手間がかかるという問題がある。
【０００５】
本発明は、上記に鑑みてなされたものであって、載置面上の硬貨を自動釣銭機の硬貨受入口へ入れる作業を操作者が容易に行うことができる商品販売データ処理装置を提供することを目的とする。
【課題を解決するための手段】
【０００６】
上述した課題を解決し、目的を達成するために、本発明は、硬貨を受け入れる硬貨受入口が設けられた自動釣銭機に接続され、商品の販売登録を行う商品販売データ処理装置において、硬貨を載せる載置面と、前記硬貨受入口へ前記載置面上の硬貨を案内する案内部と、を備えることを特徴とする。
【発明の効果】
【０００７】
本発明によれば、載置面上の硬貨を自動釣銭機の硬貨受入口へ入れる作業を操作者が容易に行うことができる。
【図面の簡単な説明】
【０００８】
【図１】図１は、本発明の一実施の形態にかかる会計システムを示す側面図である。
【図２】図２は、会計システムを示す平面図である。
【図３】図３は、会計システムの一部を示す斜視図である。
【図４】図４は、載置部材が取付部から取り外された状態の会計システムを示す斜視図である。
【図５】図５は、載置部材を示す正面図である。
【図６】図６は、図５のＶＩ−ＶＩ断面図である。
【発明を実施するための形態】
【０００９】
以下に添付図面を参照して、この発明にかかる商品販売データ処理装置の一実施の形態を詳細に説明する。本実施の形態は、商品販売データ処理装置をＰＯＳ（Point of Sales：販売時点管理）端末に適用した例である。なお、図中の矢印Ｆは、ＰＯＳ端末の前後方向での前方向を示し、図中の矢印Ｒは、ＰＯＳ端末の前後方向での後方向を示している。
【００１０】
図１及び図２に示すように、会計システム１は、ＰＯＳ端末１０と、このＰＯＳ端末１０に接続された自動釣銭機１００と、を備えている。ＰＯＳ端末１０は、自動釣銭機１００上に載置されている。
【００１１】
自動釣銭機１００は、硬貨Ｃ（図３参照）を入出金する硬貨入出金装置１１０と、紙幣（図示せず）を入出金する紙幣入出金装置１２０と、を備えている。
【００１２】
硬貨入出金装置１１０は、上方から落下する硬貨Ｃを受け入れる硬貨受入口１１１と、硬貨Ｃを払い出す硬貨払出口１１２と、操作パネル１１３と、筐体１１４と、を有する。硬貨受入口１１１と、硬貨払出口１１２と、操作パネル１１３とは、筐体１１４に固定されている。なお、図３及び図４では、硬貨払出口１１２、操作パネル１１３及び後述する紙幣入出口１２１は省略されている。
【００１３】
硬貨受入口１１１は、上方に向けて開口している。硬貨受入口１１１の内周には、受入斜面１１１ａが形成されており、この受入斜面１１１ａは、上端が略円環状に形成されて、下方に向かうにつれ硬貨受入口１１１の中心に近づく。硬貨受入口１１１は、自動釣銭機１００の左右方向（幅方向）で、硬貨払出口１１２と紙幣入出口１２１との間に配置されている。
【００１４】
硬貨入出金装置１１０は、硬貨受入口１１１で受け入れた硬貨Ｃを、筐体１１４の内部で金種毎に分別収納する。そして、硬貨入出金装置１１０は、筐体１１４の内部に収納した硬貨Ｃを、ＰＯＳ端末１０から送信された釣銭データに基づいて、釣銭として硬貨払出口１１２に払い出す。
【００１５】
紙幣入出金装置１２０は、紙幣入出口１２１と、筐体１２２と、を有する、紙幣入出口１２１は、筐体１２２に固定されている。紙幣入出金装置１２０は、紙幣入出口１２１で受け入れた紙幣を、筐体１２２の内部で金種毎に分別収納する。そして、紙幣入出金装置１２０は、筐体１２２の内部に収納した紙幣を、ＰＯＳ端末１０から送信された釣銭データに基づいて、釣銭として紙幣入出口１２１に払い出す。
【００１６】
ＰＯＳ端末１０は、平面視略矩形状の筐体１１を備えており、この筐体１１が自動釣銭機１００の上に載置される。また、ＰＯＳ端末１０は、キーボード１２と、キーボード１２の後方に配置された操作者用表示器１３と、操作者用表示器１３の後方に配置された客用表示器１４と、操作者用表示器１３の一側方に配置されたレシートプリンタ１５と、を備えている。これらのキーボード１２、操作者用表示器１３、客用表示器１４及びレシートプリンタ１５は、筐体１１に支持されている。また、ＰＯＳ端末１０は、金銭載置部１６を備えている。さらに、ＰＯＳ端末１０は、ＰＯＳ端末１０の各部を制御する制御部１７を筐体１１の内部に備えている。このＰＯＳ端末１０には、バーコードスキャナ（図示せず）が接続される。
【００１７】
制御部１７は、特に図示しないが、ＣＰＵ（Central Processing Unit）、ＲＯＭ（Read Only Memory）、ＲＡＭ（Random Access Memory）、計時部を有し、これらがバスラインを介して接続されて構成されている。ＣＰＵには、前述したキーボード１２、操作者用表示器１３、客用表示器１４、レシートプリンタ１５及びバーコードスキャナと共に、ＨＤＤ（Hard Disk Drive）及び通信インターフェースがバスラインを介して接続されている。通信インターフェースは、自動釣銭機１００にケーブル（図示せず）を介して接続されて、自動釣銭機１００との間で通信を行う。ＨＤＤは、ＣＰＵを動作させるプログラムの他、商品コード毎に商品名や単価などの商品情報を記憶する商品マスタファイル、販売データを記憶する売上ファイル等を格納している。
【００１８】
制御部１７（ＣＰＵ）は、プログラムに従って商品の販売登録処理を行う。例えば、制御部１７は、バーコードスキャナが読み取った商品コードの入力やキーボード１２からの販売量の入力を受け付け、受け付けた商品コードに対応する商品情報を商品マスタファイルから読み出す。次に、制御部１７は、商品マスタファイルから読み出した商品情報及び商品の販売量に基づいて当該商品の販売記録を示す販売データを生成してこれをＲＡＭやＨＤＤなどの記憶部に記憶することにより、当該商品の販売登録を行う。そして、制御部１７は、キーボード１２の締めキーが操作されると、釣銭に関する釣銭データを自動釣銭機１００に送信するとともに、販売登録した商品のレシート情報を作成し、このレシート情報に基づくレシートをレシートプリンタ１５に印字発行させる。
【００１９】
次に、金銭載置部１６について詳細に説明する。金銭載置部１６は、図２ないし４に示すように、硬貨Ｃを載せる載置面２１と、載置面２１の周囲に位置した案内壁２２と、案内壁２２を有し載置面２１上の硬貨を自動釣銭機１００の硬貨受入口１１１へ案内する案内部２４と、を有する。
【００２０】
載置面２１、案内壁２２及び案内部２４は、載置部材２５（図４）の一部を構成している。載置部材２５は、筐体１１に設けられた取付部１１ａ（図４）に着脱可能となっている。載置部材２５は、皿状に形成されているとともに、筐体１１の前縁部１１ｂと一側縁部１１ｃとに沿って形成され平面視で略Ｌ字状となっている。載置部材２５は、例えば、樹脂製である。なお、案内壁２２は、その一部が載置部材２５に設けられていてもよいし、その全部が載置部材２５に設けられていても良い。ここでは、案内壁２２の一部が載置部材２５に設けられた例を説明する。
【００２１】
取付部１１ａは、図４に示すように、筐体１１の上面に形成された支持面１１ｄと支持面１１ｄの周縁部から上方へ延出した取付壁部１１ｅとを有し、載置部材２５を嵌合によって支持する。取付壁部１１ｅには、案内壁２２の一部が形成されている。即ち、取付壁部１１ｅは、案内壁２２を兼ねている。取付壁部１１ｅの前部は、載置部材２５の下部前面と当接し、載置部材２５が取付部１１ａの前方へ脱落するのを阻止する。取付部１１ａへの載置部材２５の着脱は、上下方向に沿って載置部材２５を移動させることで可能である。
【００２２】
載置面２１は、図２ないし４に示すように、載置部材２５の上面に形成されている。載置面２１は、筐体１１の前縁部１１ｂと一側縁部１１ｃとに沿って形成され平面視で略Ｌ字状となっている。詳細には、載置面２１は、筐体１１の前縁部１１ｂに沿って左右方向に延在する第１の領域２１ａと、この第１の領域２１ａの左右方向の一端部から後方へ延出した第２の領域２１ｂと、を有している。第１の領域２１ａは、キーボード１２の前側に位置し、第２の領域２１ｂは、キーボード１２の一側方であってレシートプリンタ１５の前方に位置している。第１の領域２１ａは、主に硬貨Ｃ用の領域であり、第２の領域２１ｂは、主に紙幣用の領域である。第１の領域２１ａは、複数の硬貨Ｃを並べて載せられる大きさに形成されている。第２の領域２１ｂは、矩形状の紙幣の長手方向を第２の領域２１ｂの前後方向に沿わせた状態で、紙幣を載せられる大きさに形成されている。なお、第１の領域２１ａに紙幣を置いたり、第２の領域２１ｂに硬貨Ｃを置いたりすることも可能である。
【００２３】
載置面２１の第１の領域２１ａは、第２の領域２１ｂと接続した矩形状の基部２１ｃと、この基部２１ｃから前方へ突出した略三角形状の突出部２１ｄと、を有している。突出部２１ｄは、詳細には、平面視で自動釣銭機１００の硬貨受入口１１１に向けて突出した先細り形状となっている。この突出部２１ｄの先端部は、上下方向で自動釣銭機１００の硬貨受入口１１１と重複している。
【００２４】
突出部２１ｄの先端部には、硬貨Ｃが通過可能な出口部２３が設けられており、出口部２３は載置面２１の一部を構成している。即ち、出口部２３は、載置面２１の縁部（前縁部）に設けられて硬貨受入口１１１の上方に位置しているとともに、硬貨受入口１１１と鉛直方向で重複する位置に設けられている。詳細には、出口部２３は、硬貨受入口１１１の受入斜面１１１ａの後部と鉛直方向で重複している。出口部２３は、案内壁２２を切り欠き状に貫通している。出口部２３から落下した硬貨Ｃは、自動釣銭機１００の硬貨受入口１１１へ入る。即ち、出口部２３は、硬貨Ｃを硬貨受入口１１１へ案内する。この出口部２３は、案内部２４の一部を構成している。
【００２５】
また、載置面２１は、図２、図５及び図６に示すように、出口部２３へ向かうにつれ高さ位置が低くなる斜面２１ｅを第１の領域２１ａに有する。図２では、斜面２１ｅの上端部を仮想線で示してある。斜面２１ｅは、第１の領域２１ａにおいて基部２１ｃと突出部２１ｄとに亘って形成されている。斜面２１ｅは、出口部２３の後方において平面視で扇状に形成されており、出口部２３に接続している。この斜面２１ｅは、案内部２４に含まれる。
【００２６】
案内壁２２は、載置面２１の縁部に沿って設けられ、載置面２１上の硬貨Ｃを出口部２３へ案内する。詳細には、案内壁２２は、載置面２１の周囲に位置して載置面２１よりも上方に位置して、載置面２１に載置された硬貨Ｃの側部や紙幣の側部を支持する。操作者が硬貨Ｃを案内壁２２に当接させた状態で案内壁２２に沿って移動させることで、案内壁２２が硬貨Ｃを出口部２３へ案内する。また、案内壁２２は、硬貨Ｃの側部や紙幣の側部を支持することで、載置面２１から硬貨Ｃや紙幣が落下するのを阻止する。
【００２７】
案内壁２２は、載置部材２５に設けられた第１の壁部２２ａと、ＰＯＳ端末１０の筐体１１に設けられた第２の壁部２２ｂと、を有している。第１の壁部２２ａは、載置面２１の前縁部（即ち、突出部２１ｄの前縁部）に沿って形成された前壁部２２ｃを有している。
【００２８】
前壁部２２ｃは、載置面２１の前縁部２１ｆに沿って形成されていることにより、平面視で自動釣銭機１００の硬貨受入口１１１に向けて突出している。この前壁部２２ｃの先端部に、出口部２３が設けられている。前壁部２２ｃの内面（載置面２１側の壁面）には、出口部２３に接続した左右一対の傾斜壁面２２ｄが形成されている。傾斜壁面２２ｄは、載置面２１の縁部のうち前縁部２１ｆに沿って設けられ、載置面２１から上方に延出している。この傾斜壁面２２ｄは、載置面２１上の硬貨Ｃの側部を支持する。傾斜壁面２２ｄは、載置面２１の前後方向に対する傾斜であって、当該傾斜壁面２２ｄの後端部２２ｅから当該傾斜壁面２２ｄの前端部２２ｆに向かうにつれ出口部２３に対して近づく傾斜に形成されている。
【００２９】
また、前壁部２２ｃにおいて傾斜壁面２２ｄの出口部２３側を含む部分は、図５に示すように、出口部２３へ向かうにつれ高さが低くなる傾斜部２２ｇとなっている。傾斜部２２ｇは、載置面２１の縁部のうち前縁部２１ｆに沿って設けられ、載置面２１から上方に延出している。
【００３０】
以上の構成のＰＯＳ端末１０を用いての会計業務の際、操作者は、ＰＯＳ端末１０の前方に立ってＰＯＳ端末１０を操作する。そして、操作者は、客から受け取った金銭のうち硬貨Ｃを載置面２１の第１の領域２１ａに載置し、客から受け取った金銭のうち紙幣を第２の領域２１ｂに載置する。そして、操作者は、ＰＯＳ端末１０による商品登録が終了しレシートが発行されて、会計が終了した後に、載置面２１上の金銭のうち硬貨Ｃを硬貨入出金装置１１０の硬貨受入口１１１に入れ、載置面２１上の金銭のうち紙幣を紙幣入出金装置１２０の紙幣入出口１２１に入れる。操作者は、硬貨Ｃを硬貨受入口１１１に入れる際には、載置面２１上の硬貨Ｃを、案内部２４の斜面２１ｅや傾斜壁面２２ｄに当接させながら斜面２１ｅや傾斜壁面２２ｄの案内に従って出口部２３まで移動させ、出口部２３から硬貨Ｃを落下させる。出口部２３から落下した硬貨Ｃは、硬貨受入口１１１に入る。
【００３１】
以上説明したように、本実施の形態では、案内部２４が硬貨受入口１１１へ載置面２１上の硬貨Ｃを案内するので、操作者は、載置面２１上の硬貨Ｃを自動釣銭機１００の硬貨受入口１１１へ入れる際には、載置面２１上の硬貨Ｃを案内部２４の案内に従って載置面２１上で移動させれば良く、載置面２１上の硬貨Ｃを手に取って移動させる必要が無い。よって、硬貨Ｃを自動釣銭機１００の硬貨受入口１１１へ入れる作業を操作者が容易に行うことができる。
【００３２】
また、本実施の形態では、案内部２４は、硬貨受入口１１１の上方で載置面２１に設けられて硬貨が通過可能な出口部２３と、載置面２１の縁部に沿って設けられ載置面上の硬貨Ｃを出口部２３へ案内する案内壁２２と、を有する。したがって、操作者は、載置面２１上の硬貨Ｃを案内壁２２の案内に従って移動させることで、硬貨Ｃを出口部２３に容易に移動させることができる。
【００３３】
また、本実施の形態では、出口部２３は、載置面２１の前縁部２１ｆに設けられ、案内壁２２は、出口部２３に接続していて載置面２１上の硬貨Ｃの側部を支持する傾斜壁面２２ｄを有する。傾斜壁面２２ｄは、載置面２１の前後方向に対する傾斜であって、当該傾斜壁面２２ｄの後端部２２ｅから当該傾斜壁面２２ｄの前端部２２ｆに向かうにつれ出口部２３に対して近づく傾斜に形成されている。したがって、出口部２３の前方に立った操作者は、傾斜壁面２２ｄに硬貨Ｃの側部を当接させて、その硬貨Ｃを傾斜壁面２２ｄに沿って手前に移動させることで、硬貨Ｃを出口部２３に容易に移動させることができる。
【００３４】
また、本実施の形態では、案内部２４は、載置面２１に設けられ出口部２３へ向かうにつれ高さ位置が低くなる斜面２１ｅを有する。したがって、斜面２１ｅが硬貨Ｃをスムーズに出口部２３へ案内するので、硬貨Ｃを自動釣銭機１００の硬貨受入口１１１へ入れる作業を操作者がより容易に行うことができる。
【００３５】
また、本実施の形態では、出口部２３は、硬貨受入口１１１と鉛直方向で重複する位置に設けられている。したがって、出口部２３から落下した硬貨Ｃが、確実に硬貨受入口１１１に落下するので、出口部２３を硬貨受入口１１１に接続する必要が無い。よって、出口部２３の構造の簡素化を図ることができる。
【００３６】
また、本実施の形態では、案内壁２２は、出口部２３に接続され出口部２３へ向かうにつれ高さが低くなる傾斜部２２ｇを有する。したがって、硬貨Ｃを自動釣銭機１００の硬貨受入口１１１へ入れる操作者の作業に対して、出口部２３周辺の案内壁２２が邪魔となることを抑制することができる。
【００３７】
また、本実施の形態では、ＰＯＳ端末１０は、載置面２１、案内壁２２（一部又は全部）及び出口部２３を有する載置部材２５と、載置部材２５を着脱自在に支持する取付部１１ａと、を備える。したがって、載置部材２５を、自動釣銭機１００の硬貨受入口１１１の場所に応じた複数種類用意することで、自動釣銭機１００に応じて載置部材２５を取り替えることができる。また、自動釣銭機１００が設置されずＰＯＳ端末１０が単独で使用される場合には、載置部材２５に代えて、出口部２３を有しない他の載置部材２５を取付部１１ａに取り付けることができ、ＰＯＳ端末１０が単独で使用される場合にも対応することができる。
【００３８】
なお、本発明は、上記実施の形態に限ることなく本発明の要旨を逸脱しない範囲で他の実施の形態を各種採用することができる。例えば、商品販売データ処理装置を、ＥＣＲ（Electric Cash Register）に適用しても良い。
【００３９】
また、載置部材２５は、筐体１１に固定されていても良いし、筐体１１と一体成形されていても良い。
【００４０】
また、自動釣銭機１００は、硬貨入出金装置１１０を備えているものであれば良く、紙幣入出金装置１２０を備えないものであっても良い。
【符号の説明】
【００４１】
１０…ＰＯＳ端末（商品販売データ処理装置）
１１ａ…取付部
２１…載置面
２１ｅ…斜面
２１ｆ…載置面の前縁部
２２…案内壁
２２ｄ…傾斜壁面
２２ｅ…傾斜壁面の後端部
２２ｆ…傾斜壁面の前端部
２２ｇ…傾斜部
２３…出口部
２４…案内部
２５…載置部材
１００…自動釣銭機
１１１…硬貨受入口
Ｃ…硬貨
【先行技術文献】
【特許文献】
【００４２】
【特許文献１】特開２００９−１４００１３公報
【図１】
2011113455.tif 000003
【図２】
2011113455.tif 000004
【図３】
2011113455.tif 000005
【図４】
2011113455.tif 000006
【図５】
2011113455.tif 000007
【図６】
2011113455.tif 000008